(57)【特許請求の範囲】
【請求項１】
光コネクタの先端から被覆が除去された光ファイバが所定量突き出ており、前記光コネクタ同士を接続したとき、前記光コネクタ内部で前記光ファイバの撓みにより発生する弾性復元力で前記光ファイバの端面同士を押圧してＰｈｙｓｉｃａｌ  Ｃｏｎｔａｃｔ接続する光コネクタであって、前記光コネクタは、
前記光コネクタの先端に位置し、前記光ファイバのガラス部のみが挿入されることができる内径を有する円筒状の穴である、ガラス整列穴と、
前記ガラス整列穴の直後に位置し、前記光ファイバと、前記ガラス整列穴に挿入された前記光ファイバのガラスの周囲を覆っていた被覆とが収容される被覆除去部と、
前記被覆除去部の直後に位置し、被覆が付いた前記光ファイバを収容する空間であって、前記光ファイバを直進した状態で保持する形状をなす空間である、被覆付き光ファイバ整列部と、
フランジであって、前記被覆付き光ファイバ整列部の直後に位置し、被覆が付いた前記光ファイバを収容する空間であって、前記光ファイバが撓むことができる大きさを有する空間である、被覆付き光ファイバ撓み空間を有する、フランジと、
前記被覆付き光ファイバ撓み空間の直後であって前記光コネクタの後端に位置し、被覆が付いた前記光ファイバを弾性保持する光ファイバ把持部と、
前記フランジと前記光ファイバ把持部とのそれぞれには、前記被覆付き光ファイバ撓み空間用クサビと前記光ファイバ把持部用クサビとのそれぞれが挿入される前記被覆付き光ファイバ撓み空間用クサビ挿入穴と前記光ファイバ把持部用クサビ挿入穴と
を具備し、前記ガラス整列穴と、前記被覆除去部と、前記被覆付き光ファイバ整列部と、前記被覆付き光ファイバ撓み空間と、前記光ファイバ把持部とは、光ファイバが直線状に挿入されるように配置され、
前記被覆付き光ファイバ撓み空間用クサビ挿入穴に前記被覆付き光ファイバ撓み空間用クサビを挿入すると、前記被覆付き光ファイバ撓み空間の大きさが前記光ファイバが撓むことができない大きさとなり、前記被覆付き光ファイバ撓み空間は前記光ファイバを直進した状態で保持する形状となり、
前記光ファイバ把持部用クサビ挿入穴に前記光ファイバ把持部用クサビを挿入すると、前記光ファイバ把持部に被覆付き前記光ファイバを挿入でき、かつ挿入した前記光ファイバは撓まない大きさの空間が生じ、前記光ファイバ把持部用クサビが挿入された状態で前記光ファイバを前記光ファイバ把持部に挿入し、前記光ファイバ把持部用クサビを抜き去ると前記光ファイバ把持部は前記光ファイバを弾性的に保持し、
前記被覆付き光ファイバ撓み空間用クサビ挿入穴に前記被覆付き光ファイバ撓み空間用クサビを挿入し、前記光ファイバ把持部用クサビ挿入穴に前記光ファイバ把持部用クサビを挿入した状態で前記光コネクタに被覆を除去していない光ファイバを前記光ファイバ把持部から挿入し、前記光コネクタ後端から前記光ファイバを前記ガラス整列穴へ向けて押圧すると被覆付き前記光ファイバの被覆は前記ガラス整列穴の入口で剥かれ、剥かれた被覆は前記被覆除去部に収容され、前記被覆付き光ファイバ撓み空間用クサビと、前記光ファイバ把持部用クサビとは一体をなし、前記被覆付き光ファイバ撓み空間用クサビと、前記光ファイバ把持部用クサビとの、前記被覆付き光ファイバ撓み空間用クサビ挿入穴と、前記光ファイバ把持部用クサビ挿入穴へのそれぞれの挿抜は同時に実施される
ことを特徴とする光コネクタ。
【請求項２】
フェルールを具備する光コネクタであって、
前記フェルールは、円筒状の穴を有する外筒部材と、円筒状の穴を有する内筒部材とで構成され、
前記内筒部材は前記外筒部材の円筒状の穴に挿入され、
前記外筒部材の円筒状の穴は、異なる３つの内径を有する穴を直線状に接続した構造をなし、
前記内筒部材の円筒状の穴は被覆付き前記光ファイバが挿入されたとき、挿入された被覆付き前記光ファイバが撓まない程度の内径を有し、
前記外筒部材の先端に位置する前記外筒部材の円筒状の穴は前記光ファイバのガラスのみが挿通できる内径を有することで前記ガラス整列穴を形成し、
前記外筒部材の中間に位置する前記外筒部材の円筒状の穴は被覆つきの前記光ファイバおよび前記光ファイバを前記ガラス整列穴に挿入したときに剥がれた被覆を収容するが、前記内筒部材の外径より小さい内径を有することで前記被覆除去部を形成し、
前記外筒部材の後端に位置する前記外筒部材の円筒状の穴は内筒部材より大きい内径を有することで被覆付き前記光ファイバ整列部を形成する
ことを特徴とする請求項１に記載の光コネクタ。
【請求項３】
前記被覆付き光ファイバ撓み空間の形状が、挿入された光ファイバが撓むことができる方向が前記被覆付き光ファイバ撓み空間用クサビの挿入方向と垂直である形状である
ことを特徴とする請求項１に記載の光コネクタ。
【発明の詳細な説明】
【技術分野】
【０００１】
本発明は光コネクタおよび光コネクタの組立で使用する組立ツールに関する。
【背景技術】
【０００２】
メカニカルスプライスや光コネクタをはじめとする、従来の、ガラスと、ガラスの周囲を覆う被覆から成る光ファイバ同士の接続では、光ファイバのガラスの軸方向の外周面を基準面とし、光ファイバのガラス位置をアライメントすることで、低損失な光接続を実現している。一例として汎用Ｓｉｎｇｌｅ−Ｍｏｄｅ（ＳＭ）光ファイバでは、外径０．１２５ｍｍのガラスと、このガラスの周囲を覆った被覆で構成されており、光コネクタのハウジング内部など、ガラスの被覆を除去した後もガラスが損傷することが無い部位を除き、被覆付きの状態で使用される。したがって、光ファイバ同士を接続するときには、光ファイバの先端の被覆を除去し、ガラスを露出させる工程が必須である。
【０００３】
特許文献１に示す光コネクタがある。図１にこの光コネクタの断面模式図を示す。この光コネクタは、フェルール１と、フェルール１の後端にフェルールを把持するフランジ２と、フランジ２の後端に連結された光ファイバ把持部３と、ハウジング４とで構成される。光ファイバ５の先端の被覆を除去し、この被覆が除去されたガラス端面をテーパ加工し、この光ファイバを光コネクタの光ファイバ把持部３から挿入し、光ファイバ把持部で光ファイバ５を弾性保持する構造である。光ファイバを弾性保持するとき、光ファイバのガラス先端をフェルール端面から１００μｍ程度光コネクタの外部に突き出した状態として保持することで、光ファイバ同士の接続時に光ファイバがフランジ内部で撓み、撓みにより発生する弾性復元力で光ファイバ端面同士をＰＣ（Ｐｈｙｓｉｃａｌ  Ｃｏｎｔａｃｔ）接続する構造である。フェルールの細径穴６内には、被覆除去してガラスを露出させた光ファイバを位置させて、フランジ２内部の光ファイバが撓む空間７内と、光ファイバ把持部内部の光ファイバを弾性保持する部位８とでは被覆が付いた状態の光ファイバを位置させる。フェルールの外径とフェルールの細径穴６の内径は光ファイバのガラスの外径と同程度の寸法精度で作製が可能であるため、細径穴６の内径をガラスの外径である０．１２５ｍｍよりわずかに大きく作製し、フェルール外径を割スリーブでアライメントすることで、接続するファイバのガラス位置をアライメントし、低損失接続を実現する。
【先行技術文献】
【特許文献】
【０００４】
【特許文献１】特開２００９−１９２９０８号公報
【発明の概要】
【発明が解決しようとする課題】
【０００５】
従来技術による光ファイバ接続においては、たとえば特許文献１に記載の光コネクタを使用する場合、光ファイバの先端の被覆を除去し、ガラスを露出させた後に、光コネクタに光ファイバを挿入する必要があった。ガラスを露出させた状態で光ファイバ接続作業を行うため、光ファイバ接続作業中に露出したガラス部が折損する危険性があった。光ファイバの被覆を除去することなく、光ファイバを接続することができれば、ガラスの露出に起因する光ファイバ接続作業中の光ファイバの折損を防止でき、さらに、被覆除去工程の省略による接続作業の簡易化を実現できる。
【０００６】
しかしながら、光ファイバ接続において、光ファイバの先端の被覆を除去せずに、光ファイバの先端の被覆を除去した場合と同程度の損失となるように光ファイバのガラス位置をアライメントすることは難しい。例えば、特許文献１の光コネクタの構造を採用して寸法のみを変更し、被覆外径が０．２５ｍｍ、ガラス外径が０．１２５ｍｍである汎用ＳＭファイバを、光ファイバの先端の被覆を除去せずに接続するための構造とする場合を考える。汎用光ファイバでは被覆外径の許容値が０．２５０±０．０１５ｍｍであるので、フェルール１の細径穴６の内径は０．２６５ｍｍとする。さらに、汎用光ファイバでは、ガラスと被覆の断面における中心位置の偏心量は０．０１２５ｍｍ未満であれば許容されている。すなわち、被覆外径で光ファイバをアライメントするとき、フェルールの細径穴６の内径を、光ファイバのガラスの外径と同程度の精度に作製できた場合であっても、接続するＳＭファイバの、切断したガラス面において、コアの直径と同程度の距離の軸ずれが生じる可能性がある。すなわち、特許文献１に記載の光コネクタ構造の寸法を変更して、被覆の軸方向の外周面で光ファイバをアライメントする方法では、光ファイバを低損失に接続することは難しい。
【０００７】
以上より、被覆を除去することなく、被覆が付いた光ファイバを光コネクタへ挿入し、光コネクタの内部で光ファイバのガラスをアライメントし、低損失な光ファイバ接続を実現することが課題である。
【課題を解決するための手段】
【０００８】
本発明は、上記課題を解決すべくなされたものである。光ファイバ接続において、光ファイバの被覆を除去することなく、光ファイバを光コネクタへ挿入し、光ファイバの先端の被覆を除去しガラスを露出させた後に光ファイバを挿入する従来の光コネクタを用いた場合と同程度の損失が実現する光コネクタを提供する。本発明の光コネクタは、光コネクタ内部で光ファイバの撓みにより発生する弾性復元力で光ファイバの端面同士を押圧してＰｈｙｓｉｃａｌ  Ｃｏｎｔａｃｔ接続する光コネクタであって、光ファイバのガラス部のみが挿入されることができる内径を有するガラス整列穴と、ガラス整列穴に挿入された光ファイバのガラスの周囲を覆っていた被覆とが収容される被覆除去部と、被覆付き光ファイバ整列部と、光ファイバが撓むことができる大きさを有する空間である被覆付き光ファイバ撓み空間と、被覆付き光ファイバ撓み空間用クサビと光ファイバ把持部用クサビのそれぞれが挿入される被覆付き光ファイバ撓み空間用クサビ挿入穴と光ファイバ把持部用クサビ挿入穴とを具備し、被覆付き光ファイバ撓み空間用クサビ挿入穴に覆付き光ファイバ撓み空間用クサビを挿入し、光ファイバ把持部用クサビ挿入穴に光ファイバ把持部用クサビを挿入した状態で光コネクタに被覆を除去していない光ファイバを光ファイバ把持部から挿入し、光コネクタ後端から光ファイバをガラス整列穴へ向けて押圧すると被覆付き光ファイバの被覆はガラス整列穴の入口で剥かれ、剥かれた被覆は被覆除去部に収容されることを特徴とする。
【発明の効果】
【０００９】
従来の光コネクタ組立作業で必須であった、光ファイバを光コネクタに挿入する以前の、光ファイバの被覆除去作業が不要となるため、組立作業効率が向上する。また、被覆が付いた状態のままで、光ファイバを光コネクタ内へ挿入して組立可能であるため、光ファイバの折損を防止でき、信頼性の高い組立作業を実現できる。
【００１０】
光コネクタ内部の光ファイバの先端位置では、被覆外径よりも寸法精度に優れたガラスの外径で光ファイバをアライメントするため、従来の光コネクタと同等の低接続損失を実現できる。
【図面の簡単な説明】
【００１１】
【図１】従来の光コネクタの一例の断面模式図である。
【図２】本発明の一実施形態にかかる光コネクタの外観模式図である。
【図３】図２の光コネクタの断面模式図であり、（ａ）は図２のＡ断面、（ｂ）はＢ断面における断面模式図である。
【図４】図２の光コネクタに用いられたフェルールの断面模式図であり、（ａ）は外筒部材、（ｂ）は内筒部材、（ｃ）は外筒部材へ内筒部材を挿入したときの断面模式図である。
【図５】図２の光コネクタに用いられたフランジの断面模式図であり、（ａ）はクサビ挿入前、（ｂ）は光ファイバ挿入前、（ｃ）は光ファイバ挿入後の断面模式図である。
【図６】図２の光コネクタに用いられた光ファイバ把持部の断面模式図であり、（ａ）はクサビ挿入前、（ｂ）は光ファイバ挿入時、（ｃ）は光ファイバ挿入後の断面模式図である。
【図７】図２の光コネクタに光ファイバを挿入したときのフェルール先端の断面模式図である。
【図８】図２の光コネクタに光ファイバを挿入したときの光コネクタの断面模式図であり、（ａ）は図２のＡ断面、（ｂ）はＢ断面における断面模式図である。
【図９】本発明の光コネクタ同士の接続時の光コネクタの断面模式図である。
【発明を実施するための形態】
【００１２】
本発明の実施例を説明する。本実施例における光ファイバは、ガラスと、ガラスを樹脂で覆った被覆から成り、たとえば汎用ＳＭ光ファイバなどの、汎用的な光ファイバと同じ構成である。
【００１３】
図２に実施例の光コネクタの外観模式図を示す。図２に示した光コネクタの断面模式図を図３に示す。図３（ａ）は図２の面Ａ、図３（ｂ）は面Ｂにおける断面をそれぞれ示しており、面Ａ、面Ｂはいずれも図２の光コネクタの軸方向と平行に、光コネクタを２等分する面である。
【００１４】
光コネクタは、フェルール１と、フェルール１の後端にフェルールを把持するフランジ２と、フランジ２の後端に連結された光ファイバ把持部３と、ハウジング４とで構成される。光ファイバ把持部３に把持部用クサビ挿入穴９を、フランジ２にフランジ用クサビ挿入穴１０を有する。
【００１５】
図４に、図２に示した光コネクタのフェルール部品の断面模式図を示す。フェルール１は、外筒部材１１と内筒部材１２で構成され、図３（ａ）はフェルールの外筒部材１１、（ｂ）は内筒部材１２、（ｃ）は外筒部材１１へ内筒部材１２を挿入したときの断面模式図を示す。外筒部材と内筒部材は共通の円筒の軸１３を有し、この円筒の軸１１と平行に、円筒軸１１と共通の軸を有する筒状の穴をそれぞれ有し、内筒部材を外筒部材の筒状の穴の中へ挿入して使用する。外筒部材の内部の筒状の穴は、異なる３つの内径を有する。ガラス整列穴１４、被覆除去部１５の穴、内筒部材が挿入される穴の位置で、それぞれ内径が異なる構造である。本実施例において、汎用ＳＭファイバを用いるものとして、ガラス整列穴には、光ファイバのガラスが挿入されるため、その内径を０．１２５５ｍｍから０．１２６５ｍｍの間程度の値とする。内筒部材１２が有する筒状の穴１６には被覆付き光ファイバが挿入され、被覆付き光ファイバの形状を真直ぐに保つ役割を果たす。この目的のために、被覆付き光ファイバ整列部１６の内径を被覆外径の最大値と同じである０．２６５ｍｍとする。外筒部材１１の中に内筒部材１２を挿入したとき、外筒部材１１の先端は被覆除去部１５で内径が小さくなるため、内筒部材１２は被覆除去部１５の入口で止まる。内筒部材を外筒部材の中へ挿入することで、光ファイバのガラスのみが挿入されるガラス整列穴１４、ガラス整列穴に挿入されたガラスの周囲を覆っていた被覆が剥かれて位置する被覆除去部１５、被覆が付いた光ファイバを直進した状態で保持する被覆付き光ファイバ整列部１６が構成される。内筒部材が外筒部材の中へ挿入された状態のフェルールに、被覆付き光ファイバ整列部１６から被覆付きの光ファイバを挿入すると、光ファイバの被覆は光ファイバがガラス整列穴１４に挿入されるときに剥かれて、剥かれた被覆は被覆除去部１５に入る。
【００１６】
フェルール１はフランジ４へ圧入して接続されている。円柱状のフランジ４の、軸と垂直な方向の、フランジ４の断面模式図を図５に示す。フランジは、光コネクタ同士を接続した時に被覆付き光ファイバが撓むための空間である被覆付き光ファイバ撓み部１７とクサビ１８が挿入されるためのフランジ用クサビ挿入穴１０を有する。光ファイバを本実施例の光コネクタに挿入すると、光ファイバは被覆付き光ファイバ撓み部１７の中を通過する構造になっている。本実施例においては、被覆付き光ファイバ撓み部１７は、フランジの軸に垂直な方向の、縦の長さはａ、横の長さはｂの、直方体の形状を成す空間である。長さａは、被覆付き光ファイバ整列部１６の内径と同様、被覆外径の最大値と同じ０．２６５ｍｍとする。長さｂは光コネクタ同士を接続した時に生じる光ファイバの撓みが被覆付き光ファイバ撓み部１７内にすべて収まる程度に大きいとする。フランジ用クサビ挿入穴１０は、被覆付き光ファイバ撓み部１７を貫通した構造になっている。フランジ用クサビ挿入穴１０へフランジ用クサビ１８を挿入すると、被覆付き光ファイバ撓み部１７の空間の一部を図５（ｂ）のようにフランジ用クサビ１８が埋め、被覆付き光ファイバ撓み部１７内の光ファイバが通過する位置に、横の長さａ’の空間が残される。横の長さａ’は縦の長さａと同程度の大きさとする。フランジ用クサビ１８が挿入されている間は、被覆付き光ファイバ撓み部１７では光ファイバを撓ませることができない状態となっている。
【００１７】
四角柱状の光ファイバ把持部３の、軸と垂直な方向の、光ファイバ把持部の断面模式図を図６に示す。光ファイバ把持部は溝付き基板１９と蓋２０とクランパ２１とを備える。クランパ２１は断面がコの字の形状をしており、溝付き基板１９と蓋２０を重ねた状態で基板１９と蓋２０に弾性的に圧力を加え、光ファイバ把持部の形状を保持している。クランパ２１は、四角柱状の光ファイバ把持部の側面の３面を覆い、クランパ２１により覆われていない光ファイバ把持部の残りの面には把持部用クサビ挿入穴９がある（図６（ａ））。溝付き基板１９は四角柱状の光ファイバ把持部３の、軸と平行な方向に溝２２を有する。溝２２は、光ファイバ把持部３がフランジ２の後端に接続されたとき、フランジの被覆付き光ファイバ撓み部１７内の、光ファイバが通過する部位と直線上にあるように設計される。溝２２の断面は、光ファイバ把持部用クサビ２３を把持部用クサビ挿入穴９に挿入する前は、溝２２の中を被覆付きの光ファイバは通過できない程度に小さいが光ファイバのガラスは通過できる程度に大きい。光ファイバ把持部用クサビ２３を把持部用クサビ挿入穴９へ挿入すると、溝付き基板１９と蓋２０の間の隙間が広がる。この隙間の広がりは、被覆付き光ファイバを、隙間の内部で光ファイバが撓むことなく挿入できる程度の大きさである。溝付き基板１９と蓋２０の間の隙間が広げられると、この隙間を通って、光ファイバ把持部の中を光コネクタの後端部からフェルール側へ向けて被覆付きの光ファイバを挿通させることができる。光ファイバを挿通させた後、光ファイバ把持部用クサビ２３を抜き去ると、被覆付きの光ファイバは溝２２の位置に弾性的に保持される。
【００１８】
本実施例において、フランジ用クサビ挿入穴１０へ挿入されるフランジ用クサビ１８と把持部用クサビ挿入穴９へ挿入される光ファイバ把持部用クサビ２３は一体部品として作製される。したがって、フランジ用クサビ挿入穴１０と把持部用クサビ挿入穴９への各クサビ１８、２３の挿抜は同時に実施される。
【００１９】
次に、本実施例における光コネクタの光ファイバ挿入方法について説明する。
【００２０】
フランジ用クサビ挿入穴１０と把持部用クサビ挿入穴９にクサビ１８、２３を挿入する。次に、あらかじめ端面を研磨したのみで、被覆を除去していない被覆付き光ファイバを光コネクタ後端、すなわち光ファイバ把持部３の溝付き基板１９と蓋２０との間の隙間から挿入する。光コネクタへ挿入された光ファイバの先端部は、光ファイバ把持部３の溝付き基板１９と蓋２０との間の隙間と、フランジの被覆付き光ファイバ撓み部１７と、フェルールの被覆付き光ファイバ整列部１６とを直線的に通過し、フェルール先端部の被覆除去部１５へ到達する。ここで、光コネクタ後端から光ファイバをガラス整列穴１４へ向けて押圧し、光ファイバのガラスのみをガラス整列穴１４へ挿入する。フランジの被覆付き光ファイバ撓み部１７内部において、光ファイバが撓める状態であると、光ファイバをガラス整列穴へ向けて押圧したとき、光ファイバが被覆付き光ファイバ撓み部１７内部で撓む。しかしながら、図５（ｂ）に示したように、被覆付き光ファイバ撓み部１７は、あらかじめ挿入したクサビ１８によって光ファイバが被覆付き光ファイバ撓み部１７内部で撓まない形状になるため、光ファイバを撓ませることなく、ガラス整列穴１４へ向けて光ファイバを押圧することができる。このときのフェルールの内部の状態を、図７に示す。図７はフェルールの断面模式図である。結果として、図７に示すように、光コネクタ後端から光ファイバを押圧することで、ガラス整列穴１４と被覆除去部１５との間で被覆が除去されて、ガラスのみがガラス整列穴へ挿入される。ガラス整列穴の入口で除去された被覆は、内径が被覆付き光ファイバの外径より大きな被覆除去部１５に収容される。フェルール端面から光ファイバのガラスの突き出しを所定の長さｄとした後で、把持部用クサビ挿入穴９に挿入しているクサビ２３を抜き取り、光ファイバを光ファイバ把持部で弾性保持する。このとき、フランジ用クサビ挿入穴１０に挿入しているクサビ１８も同時に抜き取られる。光コネクタ内へ光ファイバを挿入し、組立が完了したときの光コネクタの断面模式図を図８に示す。
【００２１】
図９に光コネクタ同士の接続時の光コネクタの断面模式図を示す。フェルール端面から光ファイバを突き出した状態として保持することで、接続時に光ファイバがフランジ内部で撓み、撓みにより発生する弾性復元力で光ファイバ端面同士をＰＣ（Ｐｈｙｓｉｃａｌ  Ｃｏｎｔａｃｔ）接続する。図９に示したように、接続時にはフランジ内部で光ファイバが撓む。フェルールの軸に位置するガラス整列穴１４でガラスのみがアライメントされ、フェルール同士も割スリーブ内でアライメントされる接続構造であるため、ＳＣコネクタやＭＵコネクタ等の従来コネクタと同等の低接続損失を実現する。
【００２２】
また、フェルールの外径をＳＣコネクタで使用されるフェルールと同じ外径である２．５０ｍｍとし、ハウジングをＳＣコネクタと同じハウジングとすることで、ＳＣコネクタと互換性があるコネクタとすることができる。すなわち、ＳＣコネクタのアダプタを介して、ＳＣコネクタとの接続が可能になる。フェルールの外径をＭＵコネクタで使用されるフェルールと同じ外径である１．２５ｍｍとし、ハウジングをＭＵコネクタと同じハウジングとすることで、ＭＵコネクタと互換性があるコネクタとすることも可能である。他の従来コネクタとの互換性に関しても、同様である。したがって、接続作業現場において、接続されるコネクタの種類を判断し、互換性のある本発明の光コネクタを選択し組み立てることが可能である。
【符号の説明】
【００２３】
１  フェルール
２  フランジ
３  光ファイバ把持部
４  ハウジング
５  光ファイバ
６  フェルールの細径穴
７  光ファイバが撓む空間
８  光ファイバを弾性保持する部位
９  把持部用クサビ挿入穴
１０  フランジ用クサビ挿入穴
１１  外筒部材
１２  内筒部材
１３  軸
１４  ガラス整列穴
１５  被覆除去部
１６  被覆付き光ファイバ整列部
１７  被覆付き光ファイバ撓み部
１８  フランジ用クサビ
１９  溝付き基板
２０  蓋
２１  クランパ
２２  溝
２３  光ファイバ把持部用クサビ
【図１】
0005363514.tif 000002
【図２】
0005363514.tif 000003
【図３】
0005363514.tif 000004
【図４】
0005363514.tif 000005
【図５】
0005363514.tif 000006
【図６】
0005363514.tif 000007
【図７】
0005363514.tif 000008
【図８】
0005363514.tif 000009
【図９】
0005363514.tif 000010